(57)【要約】【課題】両端面に係止凹部を設けない携帯機器をケースの装着部にしっかりと保持して、出力端子と接続端子の接触不良を解消して、内蔵する電池を安定して充電する。【解決手段】携帯機器の充電台は、外形を長方形とする携帯機器３０を脱着自在にセットする。充電台は、携帯機器３０の第１外周面３０Ａと第３外周面３０Ｃの外側に、携帯機器３０を保持する一対の係止フック４を設けており、一方又は両方が携帯機器３０の上面３０Ｅを係止している。充電台は、携帯機器３０の第４外周面３０Ｄの外側に、出力端子３を内蔵する側壁１３を設けている。充電台は、携帯機器３０の第２外周面３０Ｂの外側に、携帯機器３０を非係止構造で内側に配置するストッパ壁１２を設けている。充電台は、装着部２にセットされる携帯機器３０で端子押出機構５の突出部７を押し込んで、出力端子３を側壁１３から弾性的に押し出して、携帯機器３０の接続端子３１を弾性的に押圧する。【選択図】図１
2008118798.tif 000002
【特許請求の範囲】
【請求項１】
外周に沿って、第１外周面(30A)と第２外周面(30B)と第３外周面(30C)と第４外周面(30D)とで上面視四角形に形成され、かつ第１外周面(30A)と第３外周面(30C)を四角形の短辺側の外周面とし、第２外周面(30B)と第４外周面(30D)を長辺側の外周面としてなる携帯機器(30)を脱着自在にセットする装着部(2)を有するケース(1)と、この装着部(2)にセットされる携帯機器(30)の接続端子(31)に弾性的に押圧される出力端子(3)と、装着部(2)に突出する突出部(7)が携帯機器(30)で押されて、前記出力端子(3)を装着部(2)に突出させる端子押出機構(5)とを備え、
装着部(2)にセットされる携帯機器(30)の第１外周面(30A)と第３外周面(30C)の外側には、携帯機器(30)をフック部(4a)で係止して携帯機器(30)を装着部(2)に保持する一対の係止フック(4)を設けており、第１外周面(30A)の外側に設けられる第１の係止フック(4A)のフック部(4a)と、第３外周面(30C)の外側に設けている第３の係止フック(4C)のフック部(4a)は、携帯機器(30)を係止しており、
携帯機器(30)の第４外周面(30D)の外側には、前記出力端子(3)を内蔵する側壁(13)を設けて、内蔵する出力端子(3)を携帯機器(30)の第４外周面(30D)に設けている接続端子(31)に弾性的に押圧しており、
さらに、携帯機器(30)の第２外周面(30B)の外側には、側壁(13)よりも薄くて、携帯機器(30)を非係止構造で内側に配置するストッパ壁(12)を設けており、
さらにまた、端子押出機構(5)の突出部(7)は、携帯機器(30)の底面(30F)の対向位置に配設され、携帯機器(30)が装着部(2)にセットされると、携帯機器(30)の底面(30F)で突出部(7)を押し込んで、出力端子(3)を側壁(13)から携帯機器(30)の第４外周面(30D)の接続端子(31)に弾性的に押し出すようにしてなる携帯機器の充電台。
【請求項２】
携帯機器(30)の第１外周面(30A)と第３外周面(30C)の外側に端部壁(11)を設けており、この端部壁(11)の内側に係止フック(4)を設けている請求項１に記載される携帯機器の充電台。
【請求項３】
端子押出機構(5)が傾動台(6)である請求項１に記載される携帯機器の充電台。
【請求項４】
装着部(2)が、ケース(1)の上面の周囲に、一対の端部壁(11)と、側壁(13)及びストッパ壁(12)を設けて、端部壁(11)と側壁(13)とストッパ壁(12)の内側に上面視四角形の装着部(2)を設けている請求項１に記載される携帯機器の充電台。
【発明の詳細な説明】
【技術分野】
【０００１】
本発明は、装着される携帯機器に、出力端子を安定して接続できる充電台に関し、とくに、携帯機器を装着するときに、ケース内から出力端子を突出させて携帯機器に電気接続して接触不良を解消する充電台に関する。
【背景技術】
【０００２】
携帯機器を装着しない状態で出力端子をケース内に収納し、携帯機器を装着すると出力端子が突出して携帯機器に電気接続される充電器は開発されている。（特許文献１参照）
【特許文献１】特開２００３−１３４６８０号公報
【発明の開示】
【発明が解決しようとする課題】
【０００３】
特許文献１に記載される充電器は、携帯機器である電話器を装着しない状態では、出力端子をケース内に収納し、電話器を装着すると出力端子が突出して電話器の接点に接触する構造としている。この充電器は、装着部の底面から突出して、電話機の接点を弾性的に押圧する一対の充電端子を設けている。充電器は、一対の充電端子をケースから出し入れするために、装着部に装着される電話器に押圧されて、充電端子の位置を移動させる一対の作動部材を備える。この作動部材は、装着部の底面に出入りできるように配設される突出部と、充電端子を押し下げてケース内に移動させる規制部とを備える。さらに、充電器は、携帯機器が装着されない非装着状態で、規制部で出力端子を押し下げて、突出部を底面から突出させる方向に一対の作動部材を付勢する弾性体を備える。この充電器は、装着部に携帯機器が装着されない非装着状態では、弾性体の弾性力によって、作動部材の規制部が出力端子を押し下げて、出力端子をケース内に収納する。また、装着部に携帯機器が装着される状態では、突出部が携帯機器に押圧されて、作動部材がケース内に傾動し、傾動する規制部が出力端子を押し下げなくなって、出力端子が装着部に突出して電話機の接点を弾性的に押圧する。この構造の充電器は、携帯機器の装着状態によって、一対の充電端子からなる出力端子をケースから出入りさせて、携帯機器の接点に接触不良を解消しながら接続できる。
【０００４】
この構造の充電台は、接触不良を防止するために、出力端子を携帯機器の接続端子に所定の圧力で押圧する必要がある。ただ、出力端子が接続端子を押圧する圧力は、携帯機器を装着部から押し出す方向に作用する。さらに、出力端子を弾性的に押し出す突出部も、携帯機器を装着部から押し出す方向に作用する。突出部が携帯機器を押し出し方向に押圧し、さらに出力端子の接触圧が強い充電台は、携帯機器を装着部にしっかりと位置ずれしないように保持するのが難しくなる。携帯機器を定位置に保持するために、携帯機器に係止凹部を設けて、この係止凹部に係止される係止フックを設ける構造が使用される。係止フックは、携帯機器の両端面に設けた係止凹部に先端のフック部を引っ掛けて、携帯機器が装着部から抜けるのを防止する。
【０００５】
この構造で携帯機器を装着部に保持するには、携帯機器の両端面に係止フックを引っ掛ける係止凹部を設ける必要がある。ただ、携帯機器の両端に係止凹部を設ける構造は、携帯機器を長くて大きくするばかりでなく、携帯機器の外観をスッキリと美しいデザインにできない欠点がある。
【０００６】
本発明は、さらにこの欠点を解決することを目的に開発されたものである。本発明の重要な目的は、両端面に係止凹部を設けない携帯機器をケースの装着部にしっかりと保持して、出力端子と接続端子の接触不良を解消して、携帯機器に内蔵する電池を安定して確実に充電できる携帯機器の充電台を提供することにある。
また、本発明の他の大切な目的は、横幅を狭くしながら携帯機器を装着部の定位置に配置でき、さらに、係止フックの係止圧を弱くしながら、携帯機器を定位置に配置して、脱着される携帯機器の損傷を少なくできる携帯機器の充電台を提供することにある。
【課題を解決するための手段】
【０００７】
本発明の携帯機器の充電台は、前述の目的を達成するために以下の構成を備える。
携帯機器の充電台は、携帯機器３０を脱着自在にセットする装着部２を有するケース１と、この装着部２にセットされる携帯機器３０の接続端子３１に弾性的に押圧される出力端子３と、装着部２に突出する突出部７が携帯機器３０で押されて、出力端子３を装着部２に突出させる端子押出機構５とを備える。携帯機器３０は、外周に沿って、第１外周面３０Ａと第２外周面３０Ｂと第３外周面３０Ｃと第４外周面３０Ｄとで上面視四角形に形成しており、第１外周面３０Ａと第３外周面３０Ｃを四角形の短辺側の外周面とし、第２外周面３０Ｂと第４外周面３０Ｄを長辺側の外周面としている。充電台は、装着部２にセットされる携帯機器３０の第１外周面３０Ａと第３外周面３０Ｃの外側に、携帯機器３０をフック部４ａで係止して携帯機器３０を装着部２に保持する一対の係止フック４を設けている。第１外周面３０Ａの外側に設けられる第１の係止フック４Ａのフック部４ａと、第３外周面３０Ｃの外側に設けている第３の係止フック４Ｃのフック部４ａは、携帯機器３０を係止している。さらに、充電台は、携帯機器３０の第４外周面３０Ｄの外側に、出力端子３を内蔵する側壁１３を設けて、内蔵する出力端子３を携帯機器３０の第４外周面３０Ｄに設けている接続端子３１に弾性的に押圧している。さらに、充電台は、携帯機器３０の第２外周面３０Ｂの外側に、側壁１３よりも薄くて、携帯機器３０を非係止構造で内側に配置するストッパ壁１２を設けている。さらにまた、充電台は、端子押出機構５の突出部７を、携帯機器３０の底面３０Ｆの対向位置に配設している。この充電台は、携帯機器３０が装着部２にセットされると、携帯機器３０の底面３０Ｆで突出部７を押し込んで、出力端子３を側壁１３から携帯機器３０の第４外周面３０Ｄの接続端子３１に弾性的に押し出す。
【０００８】
本発明の携帯機器の充電台は、携帯機器３０の第１外周面３０Ａと第３外周面３０Ｃの外側に端部壁１１を設けて、この端部壁１１の内側に係止フック４を設けることができる。
【０００９】
本発明の携帯機器の充電台は、端子押出機構５を傾動台６とすることができる。
【００１０】
本発明の携帯機器の充電台は、ケース１の上面の周囲に、一対の端部壁１１と、側壁１３及びストッパ壁１２を設けて、端部壁１１と側壁１３とストッパ壁１２の内側に四角形の装着部２を設けることができる。
【発明の効果】
【００１１】
本発明の充電台は、両端面に係止凹部を設けない携帯機器をケースの装着部にしっかりと保持し、出力端子を接続端子に安定して接触させて、出力端子と接続端子との接触不良を解消し、携帯機器に内蔵する電池を確実に安定して充電できる特徴がある。それは、本発明の充電台が、その実施例を示す図１に示すように、装着部にセットされる携帯機器の両端の外周面を、少なくとも一方が携帯機器の上面を係止する第１の係止フックと第３の係止フックで係止して、携帯機器の両側には、側壁とストッパ壁を設けて、側壁に出力端子を内蔵し、この出力端子を端子押出機構でもって側壁から携帯機器に突出させる構造とし、さらに、この端子押出機構は、携帯機器の底面との対向面である上面に突出部を設けて、突出部が携帯機器に押されると、出力端子を側壁から突出させる構造としているからである。すなわち、本発明の充電台は、装着部にセットされる携帯機器の縦方向のずれを一対の係止フックで阻止すると共に、この係止フックでもって、携帯機器を装着部から抜けないように保持し、さらに、携帯機器の横方向のずれを側壁とストッパ壁とで阻止すると共に、側壁から横方向に出力端子を突出させて、出力端子を携帯機器の接続端子に接続する。この充電台は、出力端子の押圧力が装着部にセットされる携帯機器を押し出す方向に作用しない。このため、出力端子を携帯機器の接続端子に強く押圧しても、携帯機器が装着部が外れることがない。このため、出力端子を安定して接触不良が起こらない状態で接続端子に押圧して、安定して電池を充電できる。さらに、係止フックの係止力を弱くして携帯機器を装着部に保持できることから、係止フックは携帯機器を係止して、確実に携帯機器を装着部に保持できる。このことは、係止フックの係止圧を弱くして、脱着される携帯機器の損傷を少なくでき、また簡単かつスムーズに携帯機器を装着部に脱着できる特徴も実現する。
【００１２】
さらに、本発明の充電台は、横幅を狭くしながら携帯機器を装着部の定位置に配置できる。それは、携帯機器の横ずれを、非係止構造の側壁で阻止するからである。非係止構造のストッパ壁は、薄い板状に成形できることから薄くでき、充電台の横幅を狭くできる。
【発明を実施するための最良の形態】
【００１３】
以下、本発明の実施例を図面に基づいて説明する。ただし、以下に示す実施例は、本発明の技術思想を具体化するための携帯機器の充電台を例示するものであって、本発明は充電台を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図１ないし図１１に示す充電台は、携帯機器３０を脱着できるようにセットする装着部２を有するケース１と、ケース１の装着部２にセットされる携帯機器３０に設けている接続端子３１に弾性的に押圧される出力端子３と、ケース１の装着部２に突出する突出部７が携帯機器３０で押されて、出力端子３を装着部２に突出させる端子押出機構５とを備える。
【００１６】
本発明の充電台にセットされて内蔵する電池を充電する携帯機器３０は、携帯電話機等のように充電できる電池と電子回路を内蔵する機器、あるいはパック電池のように電池を内蔵する機器である。充電台は、ケース１の内部に充電回路を内蔵しており、あるいは外部に設ける電源アダプタに接続されて、装着部２にセットされる携帯機器３０に内蔵される電池を充電する。
【００１７】
図の携帯機器３０は、概略厚さの小さい直方体であって、外周に沿って、第１外周面３０Ａと第２外周面３０Ｂと第３外周面３０Ｃと第４外周面３０Ｄとで四角形に形成している。図２において、携帯機器３０は左上の外周面を第１外周面３０Ａとし、右上の外周面を第２外周面３０Ｂとし、右下の外周面を第３外周面３０Ｃとし、左下の外周面を第４外周面３０Ｄとしている。図の携帯機器３０は、第１外周面３０Ａと第３外周面３０Ｃを長方形の短辺として、第２外周面３０Ｂと第４外周面３０Ｄを長辺としている。この携帯機器３０は、第４外周面３０Ｄに接続端子３１を表出して設けている。接続端子３１は、携帯機器３０に内蔵される充電回路を介して電池に接続される。この接続端子３１が充電台の出力端子３に接続される状態で、内蔵する電池が充電される。本発明の充電台は、携帯機器３０の上面３０Ｅを係止フック４で係止して、装着部２に位置ずれしないように保持する。したがって、携帯機器３０は、第１外周面３０Ａ、第２外周面３０Ｂ、第３外周面３０Ｃ及び第４外周面３０Ｄに、ケース１の装着部２に係止する係止凹部を設ける必要がない。
【００１８】
ただし、本明細書において、携帯機器の上面とは、必ずしも装着部に装着した状態で最も高くなる面には限定しない。携帯機器は、その用途や機種により、多種多様の形状があり、たとえば、端部に段差部を有するものや、携帯電話機等のように、折り畳みできる構造のものもある。このような携帯機器においては、端部に形成される段差部の上面や、折り畳んでいない状態における上面、すなわち、折畳部を開いた機器本体部側の上面等を係止フックで係止することもできる。したがって、本明細書において、携帯機器の上面とは、これらの上面をも含む広い意味で使用する。
【００１９】
ケース１はプラスチックを成形したもので、図２と図３の斜視図に示すように、上面に携帯機器３０をセットする装着部２を設けている。充電台は、ケース１を水平な台の上に置き、上面を開口する装着部２に携帯機器３０をセットして電池を充電する。装着部２は、ここにセットされる携帯機器３０の底面３０Ｆとの対向位置に、端子押出機構５の突出部７を配設している。突出部７が装着部２に弾性的に突出されるように、ケース１の上面には突出窓８を貫通して設けている。
【００２０】
充電台は、ケース１の装着部２に携帯機器３０を嵌着して定位置にセットする。このことを実現するために、図２と図３のケース１は、携帯機器３０の第１外周面３０Ａ、第２外周面３０Ｂ、第３外周面３０Ｃ及び第４外周面３０Ｄの外側に、係止フック４と、側壁１３とストッパ壁１２とを設けている。いいかえると、装着部２は、四角形である携帯機器３０の４辺の外側に、一対の係止フック４と、側壁１３及びストッパ壁１２を設けて、係止フック４と側壁１３とストッパ壁１２で囲まれる内側に携帯機器３０を位置ずれしないようにセットする。図２と図３のケース１は、携帯機器３０の第１外周面３０Ａと第３外周面３０Ｃの外側に係止フック４を、携帯機器３０の第４外周面３０Ｄの外側に出力端子３を内蔵する側壁１３を、第２外周面３０Ｂの外側に薄い壁からなるストッパ壁１２を設けている。
【００２１】
係止フック４は、携帯機器３０の上面３０Ｅを係止して携帯機器３０を装着部２に保持する。図２と図３のケース１は、携帯機器３０の第１外周面３０Ａと第３外周面３０Ｃの外側に端部壁１１を設けて、この端部壁１１の内側に係止フック４を設けている。図４は、端部壁１１と側壁１３とストッパ壁１２を一体的に成形しているプラスチック製の上ケース１Ａを外した充電台の斜視図である。この充電台は、携帯機器３０の第１外周面３０Ａの外側に第１の係止フック４Ａを設け、第３外周面３０Ｃの外側に第３の係止フック４Ｃを設けている。第１の係止フック４Ａは、端部壁１１の一端部、図２において右上側に設けている。さらに、第３の係止フック４Ｃも、図２において、端部壁１１の右上部に設けている。
【００２２】
第１の係止フック４Ａと第３の係止フック４Ｃは、下ケース１Ｂに傾動できるように下端を連結している。これ等の係止フック４は、図５ないし図８に示すように、下端部に、両側に直線状に突出する回転軸１４を一体的に成形して設けている。この回転軸１４は、下ケース１Ｂのリブ１５に設けている回転穴１５Ａに回転できるように挿通され、回転軸１４を介して係止フック４を傾動できるように下ケース１Ｂに連結している。
【００２３】
係止フック４は、携帯機器３０を係止するフック部４ａを上端に設けている。図２と図３に示す充電台は、第１の係止フック４Ａのフック部４ａが、携帯機器３０の第１外周面３０Ａに設けた係止凹部３２を係止する。第３の係止フック４Ｃのフック部４ａは、携帯機器３０の上面３０Ｅを係止する。この充電台は、第１の係止フック４Ａが携帯機器３０の係止凹部３２を係止して、第３の係止フック４Ｃが携帯機器３０の上面３０Ｅを係止するので、携帯機器３０を装着部２にしっかりと保持できる。ただ、本発明の充電台は、第１の係止フックと第３の係止フックの両方が携帯機器の上面を係止する構造とすることもできる。また、本発明の充電台は、第１の係止フックと第３の係止フックの両方が携帯電子機器の外周面に設けた係止凹部に係止する構造とすることもできる。
【００２４】
係止フック４は、弾性体１６でもって、携帯機器３０を係止する方向に押される。弾性体１６は、係止フック４と下ケース１Ｂの間に設けている。弾性体１６は、一端を下ケース１Ｂに、他端を係止フック４に連結している。この弾性体１６は、係止フック４のフック部４ａが装着部２にセットされる携帯機器３０を係止する方向に弾性的に押圧する。係止フック４は、装着部２に携帯機器３０を脱着するときに傾動する。
【００２５】
係止フック４は、上端面を傾斜面４ｂとしている。上端の傾斜面４ｂは、装着部２の内側に向かって下り勾配に傾斜する。この係止フック４は、携帯機器３０をセットするときに、携帯機器３０を傾斜面４ｂに沿って摺動させて、係止フック４をスムーズに開くことができる。このため、携帯機器３０を無理なく装着部２にセットできる。
【００２６】
第１の係止フック４Ａは、第３の係止フック４Ｃよりも出力端子３に接近して配設される。第１の係止フック４Ａは、携帯機器３０をしっかりと保持するために、第３の係止フック４Ｃよりもフック部４ａの内側への突出量を大きくしている。第３の係止フック４Ｃは、出力端子３から離れた位置にあるので、第１の係止フック４Ａよりもフック部４ａの内側突出量を小さくしている。この構造は、係止フック４で携帯機器３０を定位置に保持して確実に充電しながら、スムーズに脱着できる。
【００２７】
図２と図３に示す充電台は、端部壁１１に係止フック４を設けているので、端部壁１１と係止フック４の両方で、携帯機器３０を定位置に配置できる。ただし、本発明の充電台は、第１外周面と第３外周面の外側に、必ずしも係止フックと端部壁の両方を設ける必要はなく、たとえば図示しないが、係止フックの幅を広くして、端部壁を設けることなく、係止フックのみで携帯機器の縦方向のずれを阻止して、装着部の定位置にセットすることもできる。
【００２８】
充電台の装着部２は、携帯機器３０の両側に側壁１３とストッパ壁１２を設け、側壁１３とストッパ壁１２の間に携帯機器３０をセットして、横方向のずれを阻止する。側壁１３は、内部に出力端子３を内蔵できる厚さとしている。ストッパ壁１２は、携帯機器３０を非係止構造で内側に配置する。非係止構造とは、携帯機器３０が装着部２から外されるのを阻止する係止構造を備えない構造を意味する。非係止構造のストッパ壁１２は、携帯機器３０を係止する必要がないので、内面を平面状に成形して、側壁１３よりも薄い板状に成形している。側壁１３は、出力端子３を内蔵する二重壁構造であるが、ストッパ壁１２は一枚の薄い板状に成形している。図２と図３のケース１は、携帯機器３０の第２外周面３０Ｂの外側で、その両端部にストッパ壁１２を設けている。第１外周面３０Ａに近い部分に設けているストッパ壁１２は、端部壁１１に連続して設けている。
【００２９】
図９ないし図１１は、側壁１３に内蔵される出力端子３と、この出力端子３を弾性的に押し出す端子押出機構５を示す。図９は、上ケースを外した充電台の内部構造を示す拡大斜視図であって、一部を省略している。図１０と図１１は、充電台の端子押出機構５を示す横断面図であって、図１０は、携帯機器をセットしない状態を、図１１は、携帯機器３０をセットする状態をそれぞれ示している。内壁１３Ａと外壁１３Ｂを上面で連結している二重壁構造の側壁１３は、内壁１３Ａに出力端子３を突出させる電極窓１７を設けている。出力端子３は、この電極窓１７から携帯機器３０の接続端子３１に向かって突出して、接続端子３１に電気接続される。側壁１３から突出する出力端子３は、携帯機器３０を装着部２の押し出し方向には押圧しない。出力端子３は、携帯機器３０の第４外周面３０Ｄに設けている接続端子３１を、携帯機器３０の押し出し方向に直交する方向、すなわち、携帯機器３０を水平方向に押圧する。この出力端子３は、携帯機器３０の接続端子３１を強く押圧しても、この押圧力が携帯機器３０を装着部２から外す方向に作用しない。したがって、側壁１３から突出して、携帯機器３０の第４外周面３０Ｄの接続端子３１に電気接続される出力端子３は、押圧力を強くして、接続端子３１との接触不良を少なくしながら、携帯機器３０が外れるのを防止できる。このことは、携帯機器３０が装着部２から外れるのを阻止する係止フック４が、強く携帯機器３０を押圧して定位置に保持する必要がない。したがって、この充電台は、出力端子３を強い押圧力で接続端子３１に押圧して、安定して確実に電池を充電しながら、係止フック４が強く携帯機器３０を装着部２に保持する必要がなく、携帯機器３０を装着部２に安定してセットしながら、脱着される携帯機器３０の損傷を少なくできる。
【００３０】
端子押出機構５の突出部７は、携帯機器３０の底面３０Ｆの対向位置に配設される。携帯機器３０が装着部２にセットされると、携帯機器３０の底面３０Ｆで突出部７を押し込んで、出力端子３を側壁１３から携帯機器３０の第４外周面３０Ｄの接続端子３１に弾性的に押し出す。図９ないし図１１に示す充電台は、端子押出機構５を傾動台６とする。この端子押出機構５は、傾動台６の一端に突出部７を一体的に成形して設けている。この端子押出機構５は、傾動台６と突出部７とを一体構造とするが、突出部と傾動台とを別構造とすることもできる。別構造の突出部と傾動台は、突出部と傾動台を連結して、突出部が携帯機器で押し込まれると、傾動台を傾動させる機構とする。端子押出機構５の傾動台６は、出力端子３を連結しており、突出部７が押されて傾動されると、出力端子３を電極窓１７から携帯機器３０の接続端子３１に向かって押し出す。
【００３１】
出力端子３は、弾性変形できる弾性金属線を折曲加工して製作される。図９ないし図１１に示す出力端子３は、弾性金属線の中間をループ状に加工しループ部３ｂとし、その一端部を山形に折曲して接点部３ａとし、ループ部３ｂと接続部３ａとの間をほぼ直角に折曲して、立ち上がり部３ｃを設け、他端を端子押出機構５である傾動台６に連結する固定部３ｄとしている。立ち上がり部３ｃは、側壁１３の内部に配設されて、先端の接点部３ａを電極窓１７から側壁１３の外部に突出させる。
【００３２】
出力端子３は、固定部３ｄを傾動台６に連結している。出力端子３は、傾動台６に連結されており、携帯機器３０が装着部２にセットされて傾動台６が傾動されると、傾動台６と共に傾動する。さらに、出力端子３は、固定部３ｄをリード線１８を介して基板１０の充電回路に接続される。出力端子３は、リード線１８を介して基板１０から充電電流を供給している。出力端子３は、立ち上がり部３ｃを、傾動台６に設けている後方に開口するスリット２１に案内して、接点部３ａを側壁１３の電極窓１７から弾性的に突出させている。
【００３３】
傾動台６は、傾動できるようにケース１に内蔵される。この傾動台６は、装着部２にセットされる携帯機器３０で傾動される。携帯機器３０で傾動するように、傾動台６は、ケース１の装着部２に突出する突出部７を有する。図９ないし図１１の傾動台６は、中間に設けた傾動軸２０を支点として傾動できるようにケース１に内蔵される。傾動軸２０は、傾動台６の両側に突出して直線状に設けられる。この傾動軸２０を回転できるように支持する軸受部１９は、ケース１の内部に設けられている。ケース１の軸受部１９に傾動軸２０を入れて、傾動台６は傾動できるようにケース１に連結される。
【００３４】
傾動台６は、支点となる傾動軸２０を境界として、一方の端部である第１の端部６Ａ、図において傾動軸２０の右側の端部に突出部７を一体構造に設けている。突出部７は、ケース１に設けて突出窓８から装着部２に突出している。突出部７は、携帯機器３０に押されてケース１内に押し込まれると、連結している傾動台６を傾動させる。
【００３５】
さらに、傾動台６は、支点となる傾動軸２０を境界として、他方の端部である第２の端部６Ｂ、図において傾動軸２０の左側の端部に、出力端子３の立ち上がり部３ｃを案内するスリット２１を設けている。このスリット２１は、後方を開口しているので、立ち上がり部３ｃを後方にのみ移動できるように支持する。スリット２１の幅は、立ち上がり部３ｃの弾性金属線の太さよりも大きく、立ち上がり部３ｃをスリット２１に沿って前後に移動できるようにしている。傾動台６のスリット２１は、図１０に示すように、携帯機器３０が装着部２にセットされない非装着位置で、出力端子３の接点部３ａを側壁１３の内部に収納する状態に設けている。
【００３６】
傾動台６は、傾動用弾性体９でもって、突出部７をケース１の装着部２に突出させる方向に押圧される。図の傾動用弾性体９は、弾性金属線の中間をループ状に加工して、ループ９ｂの両端に直線状の押圧片９ａ設けている。
【００３７】
以上の充電台は、以下の状態で使用される。
［携帯機器が装着部にセットされない状態］
図１０に示すように、携帯機器３０が装着部２にセットされない状態では、突出部７は携帯機器３０に押し込まれない。したがって、傾動用弾性体９が傾動台６の第１の端部６Ａを下から押し上げて、突出部７をケース１の装着部２に突出させる。傾動台６は、この状態で、非装着位置に配置される。非装着位置にある傾動台６は、第１の端部６Ｂのスリット２１で立ち上がり部３ｃを内側に引き込んで、接点部３ａを側壁１３の内部に収納する。
【００３８】
［携帯機器が装着部にセットされる状態］
図１１の鎖線で示すように、携帯機器３０が装着部２にセットされる状態では、突出部７が携帯機器３０に押されてケース１の内部に押し込まれる。突出部７がケース１内に押し込まれると、傾動台６は装着位置に傾動される。装着位置にある傾動台６は、出力端子３を側壁１３から突出させる方向に傾動される。側壁１３から突出する出力端子３は、接点部３ａを携帯機器３０の接続端子３１に接続する。
【００３９】
この状態で、携帯機器３０は、第１の係止フック４Ａと第３の係止フック４Ｃで縦方向のずれが阻止され、側壁１３とストッパ壁１２とで横方向のずれが阻止されて、装着部２の定位置にセットされる。さらに、第１の係止フック４Ａが携帯機器３０の係止凹部３２に係止され、第３の係止フック４Ｃが携帯機器３０の上面３０Ｅに係止されて、携帯機器３０が装着部２から外れるのも阻止される。
【図面の簡単な説明】
【００４０】
【図１】本発明の一実施例にかかる携帯機器の充電台に携帯機器を装着した状態を示す側面図である。
【図２】本発明の一実施例にかかる携帯機器の充電台の斜視図である。
【図３】図２に示す充電台の背面斜視図である。
【図４】図２に示す充電台の内部構造を示す斜視図である。
【図５】図４に示す充電台の第１の係止フックを示す一部断面拡大斜視図である。
【図６】図２に示す充電台の第１の係止フックを示す拡大断面図である。
【図７】図４に示す充電台の第３の係止フックを示す一部断面拡大斜視図である。
【図８】図２に示す充電台の第３の係止フックを示す拡大断面図である。
【図９】図４に示す充電台の端子押出機構を示す拡大斜視図である
【図１０】図２に示す充電台の端子押出機構を示す横断面図である
【図１１】図１０に示す充電台に携帯機器をセットする状態を示す断面図である。
【符号の説明】
【００４１】
１…ケース                １Ａ…上ケース
１Ｂ…下ケース
２…装着部
３…出力端子              ３ａ…接点部
３ｂ…ループ部
３ｃ…立ち上がり部
３ｄ…固定部
４…係止フック            ４Ａ…第１の係止フック
４Ｃ…第３の係止フック
４ａ…フック部
４ｂ…傾斜面
５…端子押出機構
６…傾動台                ６Ａ…第１の端部
６Ｂ…第２の端部
７…突出部
８…突出窓
９…傾動用弾性体          ９ａ…押圧片
９ｂ…ループ
１０…基板
１１…端部壁
１２…ストッパ壁
１３…側壁                １３Ａ…内壁
１３Ｂ…外壁
１４…回転軸
１５…リブ                １５Ａ…回転穴
１６…弾性体
１７…電極窓
１８…リード線
１９…軸受部
２０…傾動軸
２１…スリット
３０…携帯機器            ３０Ａ…第１外周面
３０Ｂ…第２外周面
３０Ｃ…第３外周面
３０Ｄ…第４外周面
３０Ｅ…上面
３０Ｆ…底面
３１…接続端子
３２…係止凹部
【図１】
2008118798.tif 000003
【図２】
2008118798.tif 000004
【図３】
2008118798.tif 000005
【図４】
2008118798.tif 000006
【図５】
2008118798.tif 000007
【図６】
2008118798.tif 000008
【図７】
2008118798.tif 000009
【図８】
2008118798.tif 000010
【図９】
2008118798.tif 000011
【図１０】
2008118798.tif 000012
【図１１】
2008118798.tif 000013